(57)【特許請求の範囲】
【請求項１】
被写体像を撮像する撮像素子と、
投影像を表示する表示素子と、
前記被写体像の前記撮像素子への結像、および前記表示素子が表示する投影像の外部への投影が可能な光学系と、
前記投影像を投影する投影面上の少なくとも同一直線上にない３箇所までの距離を測定する測距部と、
測定された前記距離に基づいて、前記投影面の傾きを検出する傾斜検出部と、
前記投影面に写し出される画像の歪みが除去されるように、前記傾斜検出部の検出結果に基づいて、前記投影面に投影する前記投影像を補正する補正部と、
画像投影時に、前記投影面に前記画像と別の光であるポインタ光を照射するポインタ光射出部と、
撮像した前記被写体像を表示する表示ユニットと
を備え、
前記表示ユニットは、押された場所を検知するタッチパネルを有し、
前記ポインタ光出射部は、前記タッチパネルによって検知された、前記表示素子に表示された画像の中で押された場所に対応する前記投影面上の位置に、前記ポインタ光を照射することを特徴とするデジタルカメラ。
【発明の詳細な説明】
【０００１】
【発明の属する技術分野】
本発明は、デジタルカメラに関する。特に本発明は、画像を投影する機能を有するデジタルカメラに関する。
【０００２】
【従来の技術】
デジタルカメラでは、撮像した画像は一旦メモリ等に格納される。ユーザは、メモリに格納された画像を選択することにより、画像をＬＣＤモニタに表示させることができる。
【０００３】
【発明が解決しようとする課題】
デジタルカメラのＬＣＤモニタは、ユーザが画像を見ることができる角度に制限があることや、表示できる画像の大きさが限られていることなどから、一度に大勢の人がデジタルカメラの画像を見ることができなかった。
【０００４】
そこで本発明は、上記の課題を解決することのできるデジタルカメラを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、被写体像を撮像する撮像素子と、投影像を表示する表示素子と、被写体像の撮像素子への結像、および表示素子が表示する投影像の外部への投影が可能な光学系と、投影像を投影する投影面上の少なくとも同一直線上にない３箇所までの距離を測定する測距部と、測定された距離に基づいて、投影面の傾きを検出する傾斜検出部と、投影面に写し出される画像の歪みが除去されるように、傾斜検出部の検出結果に基づいて、投影面に投影する投影像を補正する補正部と、画像投影時に、投影面に画像と別の光であるポインタ光を照射するポインタ光射出部と、撮像した被写体像を表示する表示ユニットとを備え、表示ユニットは、押された場所を検知するタッチパネルを有し、ポインタ光出射部は、タッチパネルによって検知された、表示素子に表示された画像の中で押された場所に対応する投影面上の位置に、ポインタ光を照射することを特徴とするデジタルカメラが提供される。
【０００６】
本発明は、撮像素子および表示素子のうち選択された一方の上に結像面が位置するように光学系を移動する光学系移動部をさらに備えてもよい。
【０００７】
本発明は、光学系から撮像素子への光路、または表示素子から光学系への光路を選択的に形成する光路切替部をさらに備えてもよい。
【００１６】
画像を投影する方法であって、投影像を投影する投影面上の少なくとも同一直線上にない３箇所までの距離を測定する測距ステップと、測定された距離に基づいて、投影面の傾きを検出する傾斜検出ステップと、投影面に写し出される画像の歪みが除去されるように、傾斜検出ステップの検出結果に基づき、投影面に投影する投影像を補正する補正ステップとを備える。
【００１７】
なお上記の発明の概要は、本発明の必要な特徴の全てを列挙したものではなく、これらの特徴群のサブコンビネーションも又発明となりうる。
【００１８】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１９】
図１は、本発明の実施形態に係るデジタルカメラ１０の構成を示す。本実施形態のデジタルカメラ１０は、主に撮像ユニット２０、撮像制御ユニット４０、処理ユニット６０、表示ユニット１００、操作ユニット１１０、投影ユニット１２０、および素子移動部１３０を含む。
【００２０】
撮像ユニット２０は、撮影および結像に関する機構部材および電気部材を含む。撮像ユニット２０はまず、映像を取り込んで処理を施す撮影レンズ２２、絞り２４、シャッタ２６、光学ＬＰＦ（ローパスフィルタ）２８、ＣＣＤ（撮像素子）３０、および撮像信号処理部３２を含む。撮影レンズ２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。以下では、撮影レンズ２２、絞り２４、シャッタ２６、および光学ＬＰＦ２８をまとめて、「光学系」と呼ぶ。
【００２１】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００２２】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００２３】
撮像ユニット２０はさらに、ファインダ３４とストロボ３６を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。
【００２４】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４をもつ。ズーム駆動部４２などの駆動部は、それぞれステッピングモータ等の駆動手段を有する。後述のレリーズスイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、ズームスイッチ１１８を介してユーザから指示されたズーム倍率等の撮影情報に基づき、ズーム駆動部４２とフォーカス駆動部４４を制御して撮影レンズ２２のズーム倍率とピントの調整を行う。
【００２５】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００２６】
撮像系ＣＰＵ５０はまた、測光データに基づいてストロボ３６の発光を制御し、同時に絞り２４の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００２７】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２８】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００２９】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザーによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００３０】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００３１】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張部７８へ与えられる。つづいて、圧縮伸張部７８で必要な伸張処理が施されたデータはエンコーダ７２によってビデオ信号へ変換される。
【００３２】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００３３】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、ゲーム機等の外部機器との間で独自のＩ／Ｆによるデータ授受を行う構成としてもよい。
【００３４】
表示ユニット１００は、ＬＣＤモニタ１０２とＬＣＤパネル１０４を有する。それらはＬＣＤドライバであるモニタドライバ１０６、パネルドライバ１０８によってそれぞれ制御される。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像などを表示する。本実施形態においては、ＬＣＤモニタ１０２は、電子ズーム処理部からの告知情報を表示する告知ユニットとしての機能も有し、電子ズーム処理を行うことによって画像が劣化する恐れがある旨の警告を表示する。ＬＣＤモニタ１０２は、ファインダ３４の内部に設けられても良い。ＬＣＤパネル１０４は例えば小さな白黒ＬＣＤでカメラ上面に設けられ、画質（ＦＩＮＥ／ＮＯＲＭＡＬ／ＢＡＳＩＣなど）、ストロボ発光／発光禁止、標準撮影可能枚数、画素数、電池容量などの情報を簡易的に表示する。
【００３５】
操作ユニット１１０は、ユーザーがデジタルカメラ１０の動作やそのモードなどを設定または指示するために必要な機構および電気部材を含む。パワースイッチ１１２は、デジタルカメラ１０の電源のオンオフを決める。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。操作ユニット１１０はこれらのスイッチの他、回転式のモードダイヤルや十字キーなどによる設定を受け付けてもよく、それらは図１において機能設定部１１６と総称されている。操作ユニット１１０で指定できる動作または機能の例として、「ファイルフォーマット」、「特殊効果」、「印画」、「決定／保存」、「表示切換」等がある。ズームスイッチ１１８は、ズーム倍率を決める。
【００３６】
投影ユニット１２０は、投影像を表示する表示素子を含む。投影ユニット１２０の構成および機能は後述する。素子移動部１３０は、光学系の結像面へ、ＣＣＤ３０および表示素子のうち、選択された一方を移動させることができる。素子移動部１３０については、後述する。
【００３７】
以上の構成による主な動作は以下のとおりである。
【００３８】
まずデジタルカメラ１０のパワースイッチ１１２がオンされ、カメラ各部に電力が供給される。メインＣＰＵ６２は、機能設定部１１６の状態を読み込むことで、デジタルカメラ１０が撮影モードにあるか再生モードにあるかを判断する。
【００３９】
カメラが撮影モードにあるとき、メインＣＰＵ６２はレリーズスイッチ１１４の半押し状態を監視する。半押し状態が検出されたとき、メインＣＰＵ６２は測光センサ５４および測距センサ５２からそれぞれ測光データと測距データを得る。得られたデータに基づいて撮像制御ユニット４０が動作し、撮影レンズ２２のピント、絞りなどの調整が行われる。調整が完了すると、ＬＣＤモニタ１０２に「スタンバイ」などの文字を表示してユーザーにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張部７８で処理を受け、オプション装置制御部７４を経由してオプション装置７６へ記録される。記録された画像は、フリーズされた状態でしばらくＬＣＤモニタ１０２に表示され、ユーザーは撮影画像を知ることができる。以上で一連の撮影動作が完了する。
【００４０】
一方、デジタルカメラ１０が再生モードの場合、メインＣＰＵ６２は、メモリ制御部６４を介してメインメモリ６８から最後に撮影した画像を読み出し、これを表示ユニット１００のＬＣＤモニタ１０２へ表示する。この状態でユーザーが機能設定部１１６にて「順送り」、「逆送り」を指示すると、現在表示している画像の前後に撮影された画像が読み出され、ＬＣＤモニタ１０２へ表示される。
【００４１】
以下に、本発明の特徴である画像の投影に関する説明を記載する。
【００４２】
図２は、投影ユニット１２０の構成を示す。投影ユニット１２０は、表示素子として投影用ＬＣＤ１２２を有する。投影用ＬＣＤ１２２は、ＬＣＤドライバである投影用ＬＣＤドライバ１２４によって制御される。投影用ＬＣＤ１２２は、投影すべき画像を表示する。投影ユニット１２０は、さらに測距部１４０、傾斜検出部１５０、補正部１５２、表示部１６０、焦点調節部１６２、色検出部１８０、色補正部１９０、およびポインタ光射出部２００をさらに有する。
【００４３】
測距部１４０は、投影像を投影する投影面１７０までの距離を複数個所において測定する。測距部１４０は、測距センサ５２を活用して、投影面までの距離を測定する。
【００４４】
傾斜検出部１５０は、複数個所において測定された投影面までの距離から、投影面の傾きを検出する。
【００４５】
投影面の傾きの具体例は以下の通りである。まず、測距部１４０によって投影面１７０上の同一直線上にない３箇所までの距離が測定される。傾斜検出部１５０は、測距部１４０によって測定された３箇所までの距離に基づいて、投影面の傾きを算出する。
【００４６】
補正部１５２は、傾いた投影面に投影される投影像が歪まないように投影する投影像に処理を加える。補正部１５２による投影像の補正の具体例は後述する。
【００４７】
表示部１６０は、傾斜検出部１５０によって検出された投影面１７０の傾きが設定値より大きいときに、ユーザに警告を発する。ここで、設定値は、補正部１５２が補正可能な投影面１７０の傾きの範囲内に設けられる。たとえば、投影面１７０の鉛直方向に対する傾きを補正可能な範囲を、鉛直方向を基準として、−１０度から＋１０度である場合には、設定値は、−９度および＋９度に設けられる。ユーザへの警告は、ＬＣＤモニタ１０２に表示してもよく、警告用のランプを点灯することによって行われてもよい。これにより、ユーザは投影面１７０に投影される像が補正できないことを知ることができる。
【００４８】
焦点調節部１６２は、測距部１４０によって測定された投影面１７０までの距離に基づいて、投影面１７０に投影される投影像の焦点を調節する。投影像の焦点の調節は、フォーカス駆動部４４を介して、撮像レンズ２２のピントを調節することによって行われる。これにより、デジタルカメラ１０から投影面１７０までの距離に依らず、鮮明な投影像を投影することができる。
【００４９】
色検出部１８０は、ＣＣＤ３０によって撮像された投影面１７０の画像から投影面１７０の色を検出する。色補正部１９０は、色検出部１８０によって検出された投影面１７０の色に基づいて、投影する投影像の色補正を行う。たとえば、検出された投影面１７０の色が赤みを帯びている場合には、投影像が投影面１７０に投影されたときに、投影像が本来持つ色が出るように、投影用ＬＣＤ１２２に表示する投影像の色が補正される。これにより、投影面１７０の色に依らず、投影像が本来持つ色が投影面１７０に表現される。
【００５０】
ポインタ光射出部２００は、画像の中で指し示したい場所に光点を生じさせるポインタ光を射出する。ポインタ光射出部２００については、後述する。
【００５１】
図３は、素子移動部１３０によるＣＣＤ３０および投影用ＬＣＤ１２２の移動の様子を示す。素子移動部１３０は、ＣＣＤ３０および投影用ＬＣＤ１２２を移動させる機構を含む。素子移動部１３０により、ＣＣＤ３０および投影用ＬＣＤ１２２のいずれかを、光学系の結像面に設置することができる。ＣＣＤ３０および投影用ＬＣＤ１２２の移動は、ユーザの選択により手動で行ってもよい。また、ユーザが撮像モード、または画像投影用に設けられた「投影モード」を選択することにより、撮像モードの場合には、ＣＣＤ３０を光学系の結像面に自動的に移動させ、投影モードの場合には、投影用ＬＣＤ１２２を光学系の結像面に自動的に移動させてもよい。これにより、本発明の光学系は、ＣＣＤ３０への被写体像の結像、および投影用ＬＣＤ１２２が表示する投影像の外部への投影が可能である。投影像は、外部に設けられたスクリーン、壁などに向けて投影することができる。
【００５２】
図４は、投影像の補正の例を示す。この場合には、傾いた投影面１７０に投影される投影像が歪まないように、光学系の撮像レンズ２２が移動される。ここで、撮像レンズ２２を移動させるとは、撮像レンズ２２を光軸方向に移動させること、撮像レンズ２２の中心を通り、かつ、光軸に垂直な回転軸の回りに回転させること、又は、光軸方向への移動させ、かつ、上記回転軸回りに回転させることをいう。撮像レンズ２２の移動量および回転角は、傾斜検出部１５０によって検出された投影面１７０の傾きに基づいて設定される。図４のように、投影面の上部がデジタルカメラ１０から見て奥に傾いている場合には、長方形の投影像の補正前の像である補正前投影像１７２は、投影像の上部が膨らんだ台形となる。この場合には、撮像レンズ２２から投影される投影像が部が膨らんだ台形になるように撮像レンズ２２が移動又は回転される。これにより、補正後投影像１７４のように歪みが補正される。
【００５３】
また、補正部１５２は、傾斜検出部１５０によって、検出された投影面の傾きに基づいて、投影用ＬＣＤ１２２に表示される投影像を調節してもよい。たとえば、図４のように補正前投影像１７２の上部が膨らんだ台形になってしまう場合には、投影用ＬＣＤ１２２に表示される投影像を下部が膨らんだ台形にすることにより、投影面１７０の傾きによる像の歪みを打ち消す。
【００５４】
図５は、ポインタ光射出部２００によって射出される光の例を示す。投影面１７０には、画像が投影されている。ユーザは、ポインタ光射出部２００から射出されるポインタ光の方向を制御することにより、画像の中で指し示したい場所にポインタ光の光点を持ってくることができる。
【００５５】
以下にポインタ光の方向を制御の具体例を説明する。ＬＣＤモニタ１０２は、押された場所を感知するタッチパネルを含む。投影する画像がＬＣＤモニタ１０２に表示される。ユーザは、ＬＣＤモニタ１０２上の画像の中で指し示したい場所を指などで押す。指などで押された場所は、タッチパネルによって感知され、画像の中で押された場所に対応する位置に、ポインタ光が当たるようにポインタ光の方向が制御される。これにより、ユーザは、他の人に画像の中で指し示す場所を、確実に、かつ素早く理解させることができる。
【００５６】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００５７】
なお、デジタルカメラ１０は、光学系を移動させる光学系移動部１３２を素子移動部１３０に代えて備えてもよい。図６は、光学系移動部１３２による光学系の移動の様子を示す。光学系移動部１３２は、光学系を移動させることにより光学系の結像面を、ＣＣＤ３０および投影用ＬＣＤ１２２のうち、選択された一方に移動させることができる。光学系移動部１３２によって、光学系は、素子移動部１３０と同様に、手動および自動で移動する。
【００５８】
また、デジタルカメラ１０は、光路切替部１３４を素子移動部１３０に代えて備えてもよい。光路切替部１３４は、光学系からＣＣＤ３０への光路、または投影用ＬＣＤ１２２への光路を選択的に形成する。図７は、光路切替部１３４の概略を示す。光路切替部１３４は、第１のミラー１３６と第２のミラー１３８を含む。第１のミラー１３６は、投影用ＬＣＤ１２２からの投影像を受光し、第２のミラー１３８へ反射させる。第２のミラー１３８は、位置が可変である。第２のミラー１３８が図７の実線で示す位置にあるときは、第１のミラー１３６から反射された投影像は、光学系へ反射される。これにより、光学系と投影用ＬＣＤ１２２とを結ぶ光路Ａが形成される。一方、第２のミラー１３８が図７の点線で示す位置にあるときは、光学系とＣＣＤ３０とを結ぶ光路Ｂが形成される。
【００５９】
【発明の効果】
上記説明から明らかなように、本発明によればデジタルカメラで画像を投影することができる。
【図面の簡単な説明】
【図１】  本発明の実施形態に係るデジタルカメラ１０の構成を示す図である。
【図２】  投影ユニット１２０の構成を示す図である。
【図３】  素子移動部１３０による投影用ＬＣＤ１２２およびＣＣＤ３０の移動の様子を示す図である。
【図４】  投影像の補正の例を示す図である。
【図５】  ポインタ光射出部２００によって射出される光の例を示す図である。
【図６】  光学系移動部１３２による光学系の移動の様子を示す図である。
【図７】  光路切替部１３４の概略を示す図である。
【符号の説明】
１０      デジタルカメラ
２０      撮像ユニット
１２０      投影ユニット
１２２      投影用ＬＣＤ
１３０      素子移動部
１３２      光学系移動部
１３４      光路切替部
１４０      測距部
１５０      傾斜検出部
１５２      補正部
１６２      焦点調節部
１７０      投影面
１８０      色検出部
１９０      色補正部
２００      ポインタ光射出部
【図１】
0003971100.tif 000002
【図２】
0003971100.tif 000003
【図３】
0003971100.tif 000004
【図４】
0003971100.tif 000005
【図５】
0003971100.tif 000006
【図６】
0003971100.tif 000007
【図７】
0003971100.tif 000008